(57)【要約】【課題】しっかりと把握することを可能とするタンポンアプリケーターを提供する。【解決手段】このタンポンアプリケーターは、綿撒糸、特に、径方向に膨張する綿撒糸（１２）を収容し、バレル（１６）からこの綿撒糸を排出するように構成される望遠鏡の筒のようなプランジャー（１８）を受容するように構成されているアプリケーターバレルを有する。このアプリケーターバレルは、少なくとも１組の互いに対向し、ほぼ平らにされた表面、凸状表面、凹状表面、あるいは、それらの組み合わせを持つフィンガーグリップエリアを有している。この表面は、少なくとも１つのグリップ構造を有し、アプリケーターのグリップ特性を高め、使用者が、挿入および取り外しの間、および、バレルからの綿撒糸の排除の間、アプリケーターをしっかりと把握することを可能とする。【選択図】      図１
2008132363.tif 000002
【特許請求の範囲】
【請求項１】
中に綿撒糸を収容し、中にプランジャーを受容するためのバレルを具備し、このバレルは、前記プランジャーを部分的に収容し、プランジャーと係合するフィンガーグリップエリアを有し、このフィンガーグリップエリアは、奇数のほぼ平らにされた表面を備え、これらほぼ平らにされた表面の少なくとも１つは、１対の隣接したほぼ平らにされた表面に対して径方向で対向しており、また、これらほぼ平らにされた表面の少なくとも１つは、リブ以外の少なくとも１つの主グリップ構造を有し、そして、前記フィンガーグリップエリアは、前記バレルと比較して小さい直径を有する、タンポンアプリケーターであって、
前記ほぼ平らにされた表面の少なくとも１つと、前記少なくとも１つのグリップ構造とは、前記綿撒糸によっておよび／または前記プランジャーによって、前記バレルに与えられる排出力を克服するグリップ能力を与える、タンポンアプリケーター。
【請求項２】
前記少なくとも１つのグリップ構造は、前記少なくとも１つのほぼ平らにされた表面の上に高くされている、請求項１に記載のタンポンアプリケーター。
【請求項３】
前記少なくとも１つのグリップ構造は、前記少なくとも１つのほぼ平らにされた表面の下に押し下げられている、請求項１に記載のタンポンアプリケーター。
【請求項４】
前記少なくとも１つのグリップ構造は、前記少なくとも１つのほぼ平らにされた表面の外表面と整列されている、請求項１に記載のタンポンアプリケーター。
【請求項５】
前記少なくとも１つのグリップ構造は、前記少なくとも１つのほぼ平らにされた表面の外表面の方に向って傾斜され、前記少なくとも１つのほぼ平らにされた表面の外表面から離れて傾斜され、それらのあらゆる組み合わせからなる群から選択される位置を有している、請求項１に記載のタンポンアプリケーター。
【請求項６】
前記プランジャーと前記フィンガーグリップエリアとは、ほぼ同じ断面形状を有している、請求項１ないし５のいずれか１に記載のタンポンアプリケーター。
【請求項７】
前記断面形状は、矩形、正方形、三角形、六角形からなる群から選択される、請求項６に記載のタンポンアプリケーター。
【請求項８】
中に綿撒糸を収容し、中にプランジャーを受容するためのバレルを具備し、このバレルは、前記プランジャーを部分的に収容し、プランジャーと係合するフィンガーグリップエリアを有し、このフィンガーグリップエリアは、奇数の凸状の表面を備え、これら凸状の表面の少なくとも１つは、１対の隣接した凸状の表面に対して径方向で対向しており、また、これら凸状の表面の少なくとも１つは、リブ以外の少なくとも１つの主グリップ構造を有し、そして、前記フィンガーグリップエリアは、前記バレルと比較して小さい直径を有する、タンポンアプリケーターであって、
前記凸状の表面の少なくとも１つと、前記少なくとも１つのグリップ構造とは、前記綿撒糸によっておよび／または前記プランジャーによって、前記バレルに与えられる排出力を克服するグリップ能力を与える、タンポンアプリケーター。
【請求項９】
中に綿撒糸を収容し、中にプランジャーを受容するためのバレルを具備し、このバレルは、前記プランジャーを部分的に収容し、プランジャーと係合するフィンガーグリップエリアを有し、このフィンガーグリップエリアは、奇数の凹状の表面を備え、これら凹状の表面の少なくとも１つは、１対の隣接した凹状の表面に対して径方向で対向しており、また、これら凹状の表面の少なくとも１つは、リブ以外の少なくとも１つの主グリップ構造を有し、そして、前記フィンガーグリップエリアは、前記バレルと比較して小さい直径を有する、タンポンアプリケーターであって、
前記凹状の表面の少なくとも１つと、前記少なくとも１つのグリップ構造とは、前記綿撒糸によっておよび／または前記プランジャーによって、前記バレルに与えられる排出力を克服するグリップ能力を与える、タンポンアプリケーター。
【請求項１０】
中に綿撒糸を収容し、中にプランジャーを受容するように形成されたバレルを具備し、このバレルは、前記プランジャーを部分的に収容し、プランジャーと係合するフィンガーグリップエリアを有し、このフィンガーグリップエリアは、少なくとも１対の径方向に対向した凹状の表面を備え、また、これら凸状の表面の少なくとも１つは、リブ以外の少なくとも１つの主グリップ構造を有し、
前記凹状の表面の少なくとも１つと、前記少なくとも１つのグリップ構造とは、前記綿撒糸によっておよび／または前記プランジャーによって、前記バレルに与えられる排出力を克服するグリップ能力を与える、タンポンアプリケーター。
【請求項１１】
前記フィンガーグリップエリアは、さらに少なくとも２つの角をなす肩部表面を備えている、請求項１ないし１０のいずれか１に記載のタンポンアプリケーター。
【請求項１２】
前記少なくとも１つのグリップ構造は、浮き彫り、リブ以外の突出部、スリット、溝、ルーバー、パーフォレーション、ランス、摩耗媒体、高湿係数の摩擦材料、感圧接着剤およびこれらの組み合わせからなる群から選択される、請求項１ないし１１のいずかれ１に記載のタンポンアプリケーター。
【請求項１３】
前記フィンガーグリップエリアは、さらに少なくとも２つの角をなす肩部表面を備えており、これら肩部表面の各々は、フィンガーグリップエリアで前記凹状の表面の１つと対応している、請求項１０に記載のタンポンアプリケーター。
【発明の詳細な説明】
【技術分野】
【０００１】
本発明は、月経用挿入装置に関する。特に、本発明は、少なくとも１つのグリップ構造を持つフィンガーグリップエリアを有するタンポンアプリケーターなどの月経用挿入装置に関する。
【背景技術】
【０００２】
月経用挿入装置、即ち、アプリケーターは、普通は、２つのコンポーネント、すなわち、バレルと、このバレル内で望遠鏡の筒のようにスライドするように構成されるプランジャーとを有している。吸収性綿撒糸などの排出される物質は、アプリケータのバレル内に位置決めされている。このバレルは、この綿撒糸の排出用の第１の端部と、プランジャーの受け入れ用の第２の端部とを有している。タンポンアプリケーターを使用するために、消費者は、適切に排出端部を位置決めし、バレルを把握し、バレルの排出端部の方に向かってバレル内でプランジャーを移動するか、あるいは、スライドし、綿撒糸を排出する。
【０００３】
タンポン綿撒糸および著しく径方向に膨張する綿撒糸は、それらのデザインのために、このアプリケーターバレルの内壁に圧力、あるいは、摩擦力を行使する。従って、バレルからの綿撒糸の排出は、バレルに印加される最小の圧力で使用者による把握をもたらすのを助けるグリップ形状を有するアプリケーターを必要とする。アプリケーターのバレルへの圧力を最小とする意味は、バレルの変形が減少されることである。このようなバレルの変形は、綿撒糸、バレルおよびプランジャーの間にかなりの摩擦を生じ、それによって、バレルからの綿撒糸の排出をかなり妨げる。
【０００４】
アプリケーターのバレルのフィンガーグリップエリアのための様々な形状が、アプリケーターの取り扱いおよび配置、綿撒糸の排出を容易にするために提案されている。１つのアプローチは、アプリケーターのバレルの外側表面を浮き彫りにすることによって形成される一体化したフィンガーグリップを有するタンポンアプリケーターである。アプリケーターバレルの浮き彫りされた部分は、一般に、いくつかの周囲の列に整列される一連の高くした周囲のリング、あるいは、分離した、高くした点の形状をとる。このようなフィンガーグリップの例示は、Ｊａｃｋｓｏｎへの特許文献１、Ｆｏｘらへの特許文献２、Ｋｌｅｓｉｕｓへの特許文献３、Ｈｕｆｆｍａｎへの特許文献３；Ｓｈｅｌｄｏｎへの特許文献４；Ｎｅｌｖｉｎらへの特許文献５；Ｗｉｅｇｎｅｒらへの特許文献６；Ｂｅｒｇｅｒへの特許文献７；Ｌｅｙｅｒへの特許文献８；Ｒｉｃｋａｒｄらへの特許文献９；Ｆｏｕｒｎｅｓｓへの特許文献１０；Ｒｕｔｈへの特許文献１１に見出されることが可能である。
【０００５】
グリップの課題への別のアプローチは、Ｖｏｓｓらへの特許文献１２に見出され、それは、フィンガーグリップを提供するために、タンポンアプリケーターのアウタチューブに適用される独立した隆起要素を設けている。この要素は、プラスチック、ゴム、セラミックス、あるいは、他の材料で形成されることが可能であり、接合部分のはめ込みによって、あるいは、ボンド接着によってのいずれかによってアウタチューブに付着されることが可能である。
【０００６】
Ｌｉｃｈｓｔｅｉｎらへの特許文献１３は、平らにされた表面にグリップ構造を持つ平らにされた表面を有するタンポンアプリケーターを開示している。とはいえ、開示されているグリップ構造は、リブの列に限定されている
【特許文献１】米国特許第６，０４５，５２６号
【特許文献２】米国特許第５，３９５，３０８号
【特許文献３】米国特許第５，２９０，５０１号
【特許文献４】米国特許第４，５７３，９６４号
【特許文献５】米国特許第４，８９１，０４２号
【特許文献６】米国特許第４，４１２，８３３号
【特許文献７】米国特許第３，８９５，６３４号
【特許文献８】米国特許第３，６２８，５３３号
【特許文献９】米国特許第２，９２２，４２３号
【特許文献１０】米国特許第２，５８７，７１７号
【特許文献１１】米国特許第２，４８９，５０２号
【特許文献１２】米国特許第３，５７５，１６９号
【特許文献１３】米国特許第４，５３６，１７８号
【発明の開示】
【発明が解決しようとする課題】
【０００７】
従って、消費者が容易にアプリケータ、即ち、アプリケーターバレルをグリップし、容易に綿撒糸を排出することを可能とし、バレル内の径方向に膨張する綿撒糸に関連する増大した排出力を克服するリブより他の少なくとも１つのグリップ構造を有する独特のフィンガーグリップエリアを持つタンポンアプリケーターが必要とされている。
【課題を解決するための手段】
【０００８】
本発明の目的は、少なくとも１つのグリップ構造を持つ独特のフィンガーグリップエリアを有するタンポンアプリケーター、あるいは、アプリケーターバレルを提供することである。
【０００９】
本発明の別の目的は、フィンガーグリップエリアがほぼ平らにされているようなタンポンアプリケーターバレルを提供することである。
【００１０】
本発明のさらに別の目的は、ほぼ平らにされたフィンガーエリアが、手の指と親指との把握を結果として生じ、それにより、使用者が、アプリケーターバレルに行使される排出力を克服することを可能にするようなタンポンアプリケーターバレルを提供することである。
【００１１】
本発明のさらに別の目的は、少なくとも１つのグリップ構造が、浮き彫り、リブより他の隆起、スリット、溝、ルーバー、パーフォレーション、ランセットでの切開、摩耗媒体、摩擦材料の高湿係数、感圧接着剤、あるいは、それらのあらゆる組み合わせからなる群から選択されるようなタンポンアプリケーターバレルを提供することである。
【００１２】
本発明の別の目的は、少なくとも１つのグリップ構造が、高くされ、押し下げられ、傾斜され、バレルの外表面と整列され、あるいは、それらのあらゆる組み合わせであるようなタンポンアプリケーターバレルを提供することである。
【００１３】
本発明の以上および他の目的は、綿撒糸、特に、径方向に膨張する綿撒糸を収容し、バレルから綿撒糸を排出するように構成されるプランジャーを受容するように構成されているアプリケーターバレルを有するタンポンから明らかになるであろう。アプリケータバレルは、少なくとも１組の径方向に対向し、ほぼ平らにされた表面、凸状表面、あるいは、凹状表面を持つフィンガーグリップエリアを有している。これらの表面は、少なくとも１つのグリップ構造を有し、アプリケーターのグリップ特性を高める。少なくとも１つのグリップ構造を有するフィンガーグリップエリアにより、使用者が、挿入および取り外しの間、より大切なことは、バレルからの綿撒糸の排出の間、アプリケーターをしっかりと把握することを可能とする。
【発明を実施するための最良の形態】
【００１４】
図面、特に、図１には、参照符号１０で全体として表わされているタンポンアプリケーター、即ち、挿入器が示されている。タンポンアプリケータ１０は、取り外しひも１４を有するタンポン綿撒糸１２を収容し、保持している。このタンポンアプリケーター１０は、バレル１６と、このバレルと望遠鏡の筒のように係合可能なプランジャー１８とを有している。
【００１５】
このプランジャー１８は、バレルの排出端部２０の内側から使用者の膣へバレル１６から綿撒糸１２を排出するように構成されている。このバレル１６は、筒状で、中に綿撒糸１２を収容し、保持するように構成されることが好ましい主要本体１７を有している。バレル１６は、前方端部、即ち、排出端部２０と、反対側の後方受容端部、即ち、プランジャー受容端部３２とを有している。
【００１６】
バレル１６の前記排出端部２０は、開口可能か、あるいは、ドーム形状を有することが可能である。排出端部２０は、半球状ドーム形状の先端２２を有することが好ましい。この先端２２は、複数のスリット２６によって形成されることが好ましい複数の花弁構造体２４を含むことができる。この花弁構造体２４は、フレキシブルであり、プランジャー１８が、バレル１６内の綿撒糸１２の頂部に押圧されるとき、綿撒糸１２が、それを通って排出されることを可能にする。
【００１７】
バレル１６のプランジャー受容端部３２は、バレルの主要本体１７と比較して縮小された幅、あるいは、テーパが付けられた幅もしくは径を有し、本体とプランジャーの最後尾エッジ２８との間の推移部としての役割を果たす。受容端部３２は、フィンガーグリップエリアを形成する１つ以上のほぼ平らにされた表面を有することが可能である。受容端部３２は、１対以上の互いに径方向で対向したほぼ平らにされた表面を有することが好ましい。本発明の１つの実施形態において、図１に示されるように、受容端部３２は、ほぼ矩形のフィンガーグリップエリアを形成する１対の径方向に対向した、ほぼ平らにされた表面３０を有している。
【００１８】
図２を参照すると、受容端部３２は、主要本体１７からプランジャーエッジ２８の方に縮小された径を有する２対の互いに対向し、ほぼ平らにされた表面３０を有している。この２対のほぼ平らにされた表面は、ほぼ正方形の断面を形成している。プランジャー１８も、ほぼ正方形の断面を有して示されている。
【００１９】
図３を参照すると、受容端部３２は、主要本体１７からプランジャーエッジ２８の方に縮小された直径を有する３対の互いに対向し、ほぼ平らにされた表面３０を有している。この３対の互いに対向し、ほぼ平らにされた表面３０は、優れたグリップ能力を結果として生ずるほぼ六角形の断面を形成している。プランジャー１８も、ほぼ六角形の断面を有して示されている。
【００２０】
図４を参照すると、本発明のアプリケーター１０は、受容端部３２に形成される３つのほぼ平らにされた表面３０を有している。この３つのほぼ平らにされた表面は、主要本体１７からプランジャーエッジ２８の方に縮小された直径を有し、ほぼ三角形のフィンガーグリップエリアを形成している。プランジャー１８も、ほぼ三角形の断面を有して示されている。
【００２１】
本発明は、図１〜図３に描かれている複数対の互いに対向し、ほぼ平らにされた表面の数、あるいは、図４に描かれているほぼ平らにされた表面の数に限定されるものではないということは理解されるべきである。アプリケーター１０は、バレルの受容端部にフィンガーグリップエリアを形成するのに適するかなり多数のほぼ平らにされた表面、かなり多数の複数対の互いに対向し、ほぼ平らにされた表面、あるいは、それらの組み合わせで形成されることが可能である。
【００２２】
綿撒糸が収容されていないバレル１６の受容端部３２にフィンガーエリアを形成することによって、いっそう剛性な構造が結果として生ずる。この剛性は、さらに、プランジャーも縮小された直径を有しているという事実のために高められる。この結果、受容端部３２とプランジャーエッジ２８との間のバレルの壁は、実質的に厚くなり、従って、剛性となる。この剛性は、より強い構造を結果として生ずるだけでなく、それは、バレルの変形を減少、および／または、削除し、実質的に、使用の間、バレル、プランジャーおよび綿撒糸間の摩擦力を減少する。摩擦力のこの減少により、アプリケーターの挿入と、アプリケーターのバレルから膣への綿撒糸の排出のいっそう際だった容易さを結果として生ずる。
【００２３】
本発明の別の実施形態において、図５に示されるように、アプリケーター１０の受容端部３２は、１対の互いに対向し、ほぼ平らにされた表面３０と、２つの角をなす肩部表面３４とを有している。この肩部表面３４は、手の指および／または親指把握、即ち、グリップを形成している。
【００２４】
この角をなす肩部３４は、バレル１６から平らにされた表面３０へと限界を超え、従って、排出端部２０に対して縮小された直径を有している。この肩部３４の角をなす表面は、バレル１６の長さに対してほとんど０°からほとんど９０°に変えることが可能である。さらに、バレル１６の把握力を高めるために、２つのほぼ平らにされた表面３０は、この角をなす肩部３４からプランジャーエッジ２８へとほぼ次第に減少して先細に形成されている。それゆえに、受容端部３２の角をなす肩部表面３４は、使用者の中指および親指がアプリケーター１０の把握と、アプリケーターおよび綿撒糸の使用者の膣への挿入との間、押し付けるか、あるいは、支えることができるエリアを供給する。図５は、２つの角をなす肩部３４を有して描かれていると同時に、アプリケーター１０は、少なくとも２つの角をなす肩部３４を有することが可能であるということは理解されるべきである。角をなす肩部の数は、アプリケーター１０に形成される平らにされた表面の数に相当することが可能である。
【００２５】
本発明の図１〜図５のアプリケーターの別の実施形態において、少なくとも１つ以上のグリップ構造、好ましくは、複数のグリップ構造が、この表面３０に配置されている。これらの別の実施形態は、図１に関して以下に論じられると同時に、それらは、また、図２〜図５、図８および図９のフィンガーグリップエリアに適用されることが可能である。
【００２６】
グリップ構造は、例えば、１つ以上の浮き彫り、リブより他の隆起、スリット、溝、パーフォレーション、ランセットでの切開、摩耗媒体、摩擦材料の高湿係数、感圧接着剤、それらのあらゆる組み合わせでよい。このグリップ構造は、表面３０の上に高くされることができ、表面３０の下に押し下げられることができ、グリップ構造の頂部が表面３０の外表面と整列するように構成されることができ、表面３０の方に向って、あるいは、から離れて傾斜されることができ、もしくは、それらのあらゆるものを組み合わせることができる。グリップ構造は、パターン化されることができ、あるいは、使用者の指のための高められたグリップエリアを生成するのに適するあらゆる形状に、かなり多数に構成されることができるかである。
【００２７】
図６を参照すると、例示として、本発明のタンポンアプリケーター１０のフィンガーグリップエリアの少なくとも１つのグリップ構造の１つの実施形態が、ほぼ平らにされた表面３０に配置される複数の円形状グリップ構造３８を有して示されている。これらの円形状グリップ構造は、表面３０の上に高くされることができ、表面３０の下に押し下げられることができ、表面３０を貫通する、即ち、実質的に貫通することができ、もしくは、それらを組み合わせることができる。さらに、グリップ構造は、あらゆる適切なパターン、あるいは、数で配置されることが可能である。
【００２８】
図７を参照すると、例示として、タンポンアプリケーター１０のすくなくとも１つのグリップ構造の別の実施形態が、ほぼ平らにされた表面３０を鉛直に横切って配置される一連の波状グリップ構造４０を有して描かれている。この波状グリップ構造は、さらに、表面３０の上に高くされることが可能であり、表面３０の下に押し下げられることが可能であり、表面３０の方へ向かって、および／または、離れて傾斜されることが可能であり、もしくは、それらを組み合わせることが可能であり、あらゆる適切なパターン、あるいは、数で呈することができる。
【００２９】
図８を参照すると、例示として、タンポンアプリケーター１０の少なくとも１つのグリップ構造の別の実施形態が描かれ、この表面３０は、凹面で形成され、従って、使用者の指に従う追加の指形成把握および／または親指形成把握を供給する。
【００３０】
図９を参照すると、例示として、タンポンアプリケーター１０の少なくとも１つのグリップ構造の別の実施形態が描かれて、この表面３０は、凸状外表面で形成され、従って、追加の指形成把握および／または親指形成把握を供給する。
【００３１】
図６〜図９に示されている実施形態だけでなく、上記に説明されているグリップ構造の実施形態のすべては、さらに、図２〜図５に描かれているタンポンアプリケーターに形成されることが可能であるということは理解されるべきである。
【００３２】
グリップ構造は、例えば、成形、浮き彫り、レーザー彫刻、テーピング、接着剤、せん断、ダイス押し抜き、あるいは、それらのあらゆる組み合わせなどの技術上周知のあらゆる方法によって表面３０を生成されることができる。従って、バレル１６の受容端部３２にほぼ平らにされた、かつ、好ましくは、さらに、先細に形成された形状および少なくとも１つのグリップ構造を供給することによって、受容端部は、優れた把握エリアとしての役割を果たし、タンポンの使用者が、容易に、楽々と、膣に綿撒糸１２を調節して、排出することを可能にする。
【００３３】
受容端部３２は、それの平らにされた表面３０に収容するために、断面がほぼ矩形のように図１〜図５に示されている。別の断面形状は、このような断面が受容端部３２の表面３０の内部に収容するかぎり選択されることができる。さらにまた、受容端部３２のいずれの端部の断面エリアは、必ずしも同様である必要はないということは理解されるべきである。例えば、図面に示されている例示は、１つの端部からもう１つの端部に次第に縮小している断面を続けている。ほかに、断面は、受容端部３２の平らにされた外表面３０に設けられるあらゆる凹状、あるいは、凸状を表わすことができ、追加の指把握および／または親指把握を形成する。
【００３４】
受容端部３２は、さらに、中の開口２９を介してプランジャー１８を受容し、軸方向に係合するように構成される。それゆえ、受容端部３２およびプランジャーエッジ２８の大体の断面形状は、特に、バレル１６とプランジャー１８との間の平滑な軸方向係合に適合するために、プランジャー１８のものと同様か、あるいは、匹敵することが好ましい。さらにまた、好ましい実施形態において、受容端部３２の矩形断面のコーナーは、ある半径の湾曲を有し、それにより、受容端部３２の外表面とのプランジャー１８のあらゆる都合の悪い摩擦接触を減少し、アプリケーター１０の美的外観を高める。
【００３５】
本発明の別の実施形態において、カールしたリップ部３６は、プランジャー１８に設けられ、それにより、プランジャーを前方に押す人差し指を載せる不安のない表面を供給し、バレル１６から綿撒糸１２を排出する。プランジャー１８のアウタ端部は、カールしたリップ部３６と類似する方法で機能する長円形断面、円形断面、あるいは、アーチ形フィンガー台などの他のカラーのような部材、あるいは、形状を有することができる。
【００３６】
タンポン綿撒糸１２、特に、径方向に膨張するタンポン綿撒糸は、アプリケーターバレル１６に、すなわち、アプリケーターバレルの内側表面に力を行使することが可能である。このような力は、タンポンの使用者がアプリケーターバレル１６から綿撒糸１２を排出することを難しくさせる。
【００３７】
径方向に膨張する綿撒糸に関して、綿撒糸の膨張は、故意に、タンポンアプリケーターからの放出時即時であり得る、すなわち、この膨張は、水分、あるいは、月経を必要とすることなく、完全に、あるいは、主として、この乾燥状態において生じ、もしくは、エージングのための故意でない効果であり得る。これらの径方向膨張特性のゆえに、増大された力が、アプリケーター１６の内側壁、あるいは、表面に行使される。この力は、膨張するために月経、あるいは、水分を必要とする従来の綿撒糸のものの数倍高いということが分かる。この圧力の結果として、増大された排出力は、バレル１６から綿撒糸１２を排出するのに必要とされる。２．５ポンドおよびそれ以上の大きさ大きさの排出力が、径方向に膨張するタンポン綿撒糸で測定された。高い綿撒糸排出力は、アプリケーターバレル１６を変形し、さらにまた、径方向に膨張する綿撒糸１２の排出を妨げる恐れなく、アプリケーターを把握するために、本発明によって提供されるような独特のフィンガーグリップを有するアプリケータを必要する。
【００３８】
概要において、女性は、特に、平らにされた表面３０に形成される少なくとも１つのグリップ構造と共に、アプリケーター１０のフィンガーグリップ表面の結果として、しっかりと、楽々と、本発明によるタンポンアプリケーター１０を調節し、位置決めすることが可能であり、この中に収容されるタンポン綿撒糸１２、特に、径方向に膨張する綿撒糸を排出することを可能とする。
【００３９】
このうえ、使用者のグリップ能力は、さらにまた、互いに対向し、手の指把握および／または親指把握３４を形成することによって高められることが可能である。バレル１６の後方部分３２の平らにされた表面３０に使用者の人差し指および親指を置くことによって、バレル１６の角をなす肩部３４に調整することによって、使用者は、容易に、自分の膣内にタンポンを誘導し、調節し、位置決めすることができ、バレルおよび／またはプランジャーの変形を結果として生ずるあらゆる過剰な筋肉引っ張り、あるいは、緊張なく、自分の膣の方へ綿撒糸を排出することができる。
【００４０】
前述の明細書および図面は、単に、本発明の例示であり、開示された実施形態に本発明を限定することを意図されるものではない。当業者には明らかである変形および変更は、添付の特許請求の範囲に限定されるように本発明の範囲と特質内であるように意図される。
【図面の簡単な説明】
【００４１】
【図１】本発明によるタンポンアプリケーターの１つの実施形態の斜視図である。
【図２】本発明によるタンポンアプリケーターの別のフィンガーグリップの実施形態の斜視図である。
【図３】本発明によるタンポンアプリケーターの別のフィンガーグリップの実施形態の斜視図である。
【図４】本発明によるタンポンアプリケーターの別のフィンガーグリップの実施形態の斜視図である
【図５】本発明によるフリップ構造を有する図１のタンポンアプリケーターの１つの実施形態の斜視図である。
【図６】本発明によるグリップ構造を有する図１のタンポンアプリケーターの別の実施形態の斜視図である。
【図７】本発明によるグリップ構造を有する図１のタンポンアプリケーターの別の実施形態の斜視図である。
【図８】本発明による凹状フィンガーグリップエリアを有する図１のタンポンアプリケーターの別の実施形態の斜視図である。
【図９】本発明による凸状フィンガーグリップエリアを有する図１のタンポンアプリケーターの別の実施形態の斜視図である。
【符号の説明】
【００４２】
１０…タンポンアプリケーター、１２…タンポン綿撒糸、１６…バレル、１８…プランジャー、３０…ほぼ平らにされた表面、３２…受容端部
【図１】
2008132363.tif 000003
【図２】
2008132363.tif 000004
【図３】
2008132363.tif 000005
【図４】
2008132363.tif 000006
【図５】
2008132363.tif 000007
【図６】
2008132363.tif 000008
【図７】
2008132363.tif 000009
【図８】
2008132363.tif 000010
【図９】
2008132363.tif 000011